(57)【要約】      （修正有）【課題】高温多湿地域で使用されても冷気ダクトの冷気入口部分での結露発生を抑制して品位を高く保つ冷蔵庫を提供する。【解決手段】断熱性の冷蔵庫本体１と、冷蔵庫本体内に形成した冷蔵室と、冷蔵室の背面に縦設されて冷却室９からの冷気を冷蔵室内に供給する冷気ダクト１９とを備え、冷気ダクトは冷却室とつながるダクト冷気入口部分２１の壁厚をダクト下方部分２２の壁厚よりも厚くした構成としてある。これにより、冷却室からの低温冷気が最初に触れて強く冷却される冷気入口部分の温度を比較的高く維持することができ、高温多湿地域であって、かつ、比較的多くの外気が冷蔵室に入り込むような使われ方をしても当該冷気入口部分での結露を抑制することができる。【選択図】図３
2017215072.tif 000002
【特許請求の範囲】
【請求項１】
断熱性の冷蔵庫本体と、前記冷蔵庫本体の上部に設けた冷凍室、及びその下部に設けた冷蔵室と、前記冷凍室の背部に設けた冷気生成用の冷却室と、前記冷却室からの冷気を冷蔵室内に供給する如く冷蔵室の背面に縦設した冷気ダクトとを備え、前記冷気ダクトは前記冷却室とつながるダクト冷気入口部分の壁厚をダクト下方部分の壁厚よりも厚くした冷蔵庫。
【請求項２】
冷気ダクトはダクト冷気入口部分に冷気制御用のダンパを設け、前記ダクト冷気入口部分の少なくとも前記ダンパよりも上方部分の壁厚を同ダンパよりも下方部分の壁厚よりも厚くした請求項１記載の冷蔵庫。
【請求項３】
壁厚を厚くした冷気入口部分の壁表面は上方に行くほどその壁厚が厚くなるように傾斜させた請求項１または２記載の冷蔵庫。
【請求項４】
冷気ダクトはダクト冷気入口部分に設けた冷気吹出し口の下方部分に冷蔵室内側に向けて突出する遮風板を設けた請求項１〜３のいずれか１項記載の冷蔵庫。
【請求項５】
冷気ダクトはダクト冷気入口部分とその下部のダクト下方部分とを別部品とした請求項１〜４のいずれか１項記載の冷蔵庫。
【請求項６】
冷蔵室は複数の収納棚によって複数の空間に仕切るとともに、冷気ダクトのダクト冷気入口部分が位置する空間の前方部は蓋板で覆った請求項１〜５のいずれか１項記載の冷蔵庫。
【発明の詳細な説明】
【技術分野】
【０００１】
本発明は冷蔵庫に関し、特に冷蔵庫の冷蔵室冷却構成に関するものである。
【背景技術】
【０００２】
一般に冷蔵庫は冷凍室と冷蔵室を備えており、そのような冷蔵庫の中には冷蔵庫本体の上部を冷凍室、下部を冷蔵室としたトップフリーザ方式の冷蔵庫がある。このような冷蔵庫では冷凍室の背面に冷却器を備え、この冷却器で生成した冷気を冷蔵室背面壁に設けた冷気ダクトを介して冷蔵室に供給し、冷蔵室内の食品を冷却するようになっている（例えば、特許文献１参照）。
【０００３】
図１３は上記特許文献１に記載された冷蔵庫を示し、この冷蔵庫１０１は上部に冷凍室１０２、その下部に冷蔵室１０３が設けてある。そして、冷凍室１０２の背部には冷却室１０４が設けてあって、この冷却室１０４で生成した冷気が冷蔵室１０３の背面壁中央部分に設けた冷気ダクト１０５を介して冷蔵室１０３内供給されるようになっている。
【先行技術文献】
【特許文献】
【０００４】
【特許文献１】特開２０１４−１３７１８５号公報
【発明の概要】
【発明が解決しようとする課題】
【０００５】
しかしながら、この冷蔵庫は、高温多湿地域、例えば東南アジア諸国で使用する場合等には、冷却室１０４から低温冷気が供給される冷気ダクト１０５上部の冷気入り口部分１０５ａに結露が発生することがあった。
【０００６】
すなわち上記冷気ダクト１０５の冷気入口部分１０５ａは冷却室１０４から供給される低温冷気が最初に触れてこれにより強く冷却される形となるためその表面温度は２℃〜３°前後とかなり低くなり、結露が発生しやすい状態となっている。
【０００７】
そのため、前記した高温多湿地域では、冷蔵室扉の開閉が多い場合、或いは冷蔵室扉の開成時間が長い場合、等の、冷蔵室１０３内に入り込む高温多湿の外気が比較的多くなる場合には、これが冷気ダクト１０５上部の冷気入口部分１０５ａに触れて結露することになるのであった。
【０００８】
そして、この結露が発生する冷気ダクト１０５の冷気入口部分１０５ａは、冷凍室１０２を上部に位置するタイプの冷蔵庫では使用者の目のつきやすい高さ位置となっているため品位を損ねるという問題があった。
【０００９】
本発明はこのような点に鑑みてなしたもので、高温多湿地域で使用される場合であっても冷気ダクトの冷気入口部分での結露発生を抑制して品位を高く保つ冷蔵庫の提供を目的としたものである。
【課題を解決するための手段】
【００１０】
本発明は、上記目的を達成するため、冷気ダクトの冷気入口部分の壁厚を冷気ダクト下方部分の壁厚よりも厚く構成したものである。
【００１１】
これにより、冷却室からの低温冷気が最初に触れて強く冷却される冷気入口部分であっ
てもその表面温度を比較的高く維持することができ、高温多湿地域であって、かつ、比較的多くの外気が冷蔵室に入り込むような使われ方をしても当該冷気入口部分での結露を抑制することができる。
【発明の効果】
【００１２】
本発明は、高温多湿地域で使用され外気が比較的多く入り込むような場合であっても冷気ダクト上部の冷気入口部分に結露が発生するのを抑制でき、品位の高い冷蔵庫とすることができる。
【図面の簡単な説明】
【００１３】
【図１】本発明の実施の形態１における冷蔵庫の正面図
【図２】同冷蔵庫の内部を示す正面図
【図３】同冷蔵庫の縦断面図
【図４】同冷蔵庫の冷気流れを示す説明図
【図５】同冷蔵庫における冷気ダクトの冷気入口部分を示す拡大断面図
【図６】同冷蔵庫における冷気ダクトの冷気入口部分を示す分解斜視図
【図７】同冷蔵庫の照明装置設置部分を示す断面図
【図８】（ａ）同冷蔵室中断部分における支持部材とレール部を示す斜視図、（ｂ）同冷蔵庫の冷蔵室最下部における支持部材とレール部を示す斜視図
【図９】同冷蔵庫の使用例の一つを示す斜視図
【図１０】同冷蔵庫の使用例の一つを示す図９の縦断面図
【図１１】同冷蔵庫の他の使用例を示す斜視図
【図１２】同冷蔵庫の他の使用例の一つを示す図１１の縦断面図
【図１３】従来の冷蔵庫の縦断面図
【発明を実施するための形態】
【００１４】
第１の発明は、断熱性の冷蔵庫本体と、前記冷蔵庫本体の上部に設けた冷凍室、及びその下部に設けた冷蔵室と、前記冷凍室の背部に設けた冷気生成用の冷却室と、前記冷却室からの冷気を冷蔵室内に供給する如く冷蔵室の背面に縦設した冷気ダクトとを備え、前記冷気ダクトは前記冷却室とつながるダクト冷気入口部分の壁厚をダクト下方部分の壁厚よりも厚くした構成としてある。
【００１５】
これにより、冷却室からの低温冷気が最初に触れて強く冷却されるダクト冷気入口部分の表面温度を比較的高く維持することができ、高温多湿地域であって、かつ、比較的多くの外気が冷蔵室に入り込むような使われ方をしても、当該ダクト冷気入口部分での結露を抑制することができる。しかも、前記冷気ダクトの冷蔵室内への突出代はダクト冷気入口部分のみが大きくそれよりも下方部分は従来と同様少ないものとすることができ、結露防止を図りつつ冷蔵室内容積の減少を最小限に抑えて冷蔵室内容積を確保することができる。
【００１６】
第２の発明は、第１の発明において、前記冷気ダクトはダクト冷気入口部分に冷気制御用のダンパを設け、前記ダクト冷気入口部分の少なくとも前記ダンパよりも上方部分の壁厚を同ダンパよりも下方部分の壁厚よりも厚くした構成としてある。
【００１７】
これにより、ダンパよりも上方に位置するダクト冷気入口部分はダンパが閉じているときも冷却室と連通していて冷却室と同様の冷凍温度帯となっているため低温冷気で常時強く冷却され続けるが、このように常時強く冷却されるダクト冷気入口部分であってもその表面温度を確実に高い温度に維持することができる。したがって、高温多湿地域であって、かつ、比較的多くの外気が冷蔵室に入り込むような使われ方をしても当該ダクト冷気入口部分での結露を確実に抑制することができる。
【００１８】
第３の発明は、第１または第２の発明において、前記壁厚を厚くしたダクト冷気入口部分の壁表面は上方に行くほどその壁厚が厚くなるように傾斜させた構成としてある。
【００１９】
これにより、ダクト冷気入口部分全体の壁厚を厚くするものに比べ冷蔵室容積を減じる割合を少なくして冷蔵室容積を更に多く確保することができるとともに、ダクト冷気入口部分を流れる冷気はダクト冷気入口部分の壁と熱交換（冷気入口部分の壁を冷却）することによって下方に行くほど温度が高くなっていくので、ダクト冷気入口部分の下部の表面温度も比較的高い温度に維持することができて、ダクト冷気入口部分全域に渡り結露を抑制することができる。
【００２０】
第４の発明は、第１〜第３の発明において、前記冷気ダクトはダクト冷気入口部分に設けた冷気吹出し口の下方部分に冷蔵室内側に向けて突出する遮風板を設けた構成としてある。
【００２１】
これにより、ダクト冷気入口部分の冷気吹出し口から冷気が吹き出す際、当該冷気の一部が冷気吹出し口の直下に流下して冷気ダクトのダクト下方部分を冷却してしまうのを防止できる。したがって、この低温冷気により冷気ダクトのダクト下方部分が強く冷却されて温度低下し当該部分に結露が発生するのを防止できる。すなわち、冷気ダクト全域に渡ってより確実に結露発生を防止することができる。
【００２２】
第５の発明は、第１〜第４の発明において、前記冷気ダクトはダクト冷気入口部分とその下部のダクト下方部分とを別部品とした構成としてある。
【００２３】
これにより、冷気ダクトは強く冷却されるダクト冷気入口部分からダクト下方部分への冷熱伝播を遮断若しくは大きく低減することができ、ダクト下方部分の温度低下を効率よく防止して結露防止を確実なものとすることができる。加えて、上記ダクト冷気入口部分を共用化し長さの異なるダクト下方部分を準備しておくことによって異なる容量の冷蔵庫に対応でき、コストダウンを促進することができる。
【００２４】
第６の発明は、第１〜第５の発明において、前記冷蔵室は複数の収納棚によって複数の空間に仕切るとともに、冷気ダクトのダクト冷気入口部分が位置する空間の前方部は蓋板で覆った構成としてある。
【００２５】
これにより、冷蔵室の扉を開けて外気が侵入してきても蓋板によって外気がダクト冷気入口部分に触れるのを防止することができ、外気がダクト冷気入口部分に触れる機会を低減して結露発生を効率よく防止することができる。
【００２６】
以下、本発明の実施の形態について、図面を参照しながら説明する。なお、この実施の形態によって本発明が限定されるものではない。
【００２７】
（実施の形態１）
図１は本発明の実施の形態１における冷蔵庫の正面図、図２は同冷蔵庫の内部を示す正面図、図３は同冷蔵庫の縦断面図、図４は同冷蔵庫の冷気流れを示す説明図、図５は同冷蔵庫における冷気ダクトの冷気入口部分を示す拡大断面図、図６は同冷蔵庫における冷気ダクトの冷気入口部分を示す分解斜視図、図７は同冷蔵庫の照明装置設置部分を示す断面図、図８（ａ）は同冷蔵庫の冷蔵室最下部における支持部材とレール部を示す斜視図、（ｂ）は同冷蔵室中断部分における支持部材とレール部を示す斜視図、図９は同冷蔵庫の使用例の一つを示す斜視図、図１０は同冷蔵庫の使用例の一つを示す図９の縦断面図、図１１は同冷蔵庫の他の使用例を示す斜視図、図１２は同冷蔵庫の他の使用例の一つを示す図
１１の縦断面図である。
【００２８】
図１〜図１２において、この冷蔵庫は、冷蔵庫本体１の上部に冷凍室２、その下部に冷蔵室３を有するトップフリーザ方式の冷蔵庫となっている。
【００２９】
上記冷蔵庫本体１は、図３に示すように、前方に開口する金属製の外箱４と、硬質樹脂製の内箱５と、これら外箱４と内箱５との間に発泡充填した硬質の発泡ウレタン６からなる。そして、上記冷蔵庫本体１の冷凍室２及び冷蔵室３の前面は冷蔵庫本体１と同様の構成によって断熱性を持たせた回転自在な扉７、８によって開閉自在としてある。
【００３０】
また、前記冷蔵庫本体１の冷凍室２背面には冷却室９が設けてあり、冷気を生成する冷却器１０と、冷気を前記冷凍室２及び冷蔵室３に供給する送風ファン１１とが設けてある。更に、上記冷蔵庫本体１の下部背面には冷蔵室３内に突出する機械室１２を設けて圧縮機１３が設置してあり、コンデンサ（図示せず）と、放熱パイプ（図示せず）と、キャピラリーチューブ（図示せず）と、前記した冷却器１０とを順次環状に接続して冷凍サイクルを構成し、この冷凍サイクルに冷媒を封入し冷却運転を行うように構成してある。
【００３１】
また、前記冷蔵室３は内部に透明材料からなる複数の収納棚１４が着脱自在に設けてあり、冷蔵室内空間を上下複数の空間に仕切っている。そして、前記冷蔵室３の最上部の冷蔵室内空間はその前方部に透明材料からなる上向き回動自在な蓋板１５を設けて低温貯蔵室１６とし、最下部の機械室前方空間はその両側下部にレール部１７を設けて収納ボックス１８を引き出し自在に組み込み引出式収納空間１８ａとしてある。
【００３２】
更に、前記冷蔵室３の背面部には前記冷却器１０で生成した冷気を冷蔵室３に供給する冷気ダクト１９が設けてある。この冷気ダクト１９は図３及び図４に示すように冷蔵室３の背面略中央部分に上下方向に縦設して設けてあり、冷却室９からの冷気通路部２０につながるダクト冷気入口部分２１とそれに連なるダクト下方部分２２とからなっていて、前面と左右両側面それぞれに前記収納棚１４で仕切った各空間に開口する冷気吹出し口２３が設けてある。
【００３３】
なお、上記冷却室９からの冷気通路部２０は冷却室９の中央部分から導出してあり、冷冷却器中央部分の効率よく冷却された冷気が冷気ダクト１９に供給されるようになっている。
【００３４】
また、前記冷蔵室３の最上部の背面部分には図４の破線で示すように冷気戻り口２４が設けてある。この冷気戻り口２４は前記低温貯蔵室１６に開口するとともに冷気戻りダクト２５を介して低温貯蔵室１６下方の冷蔵室内空間と連通しており、冷蔵室３内の冷気が前記冷却室９の左右両側部分、すなわち、冷却器１０の両側部分に戻る構成としてある。
【００３５】
ここで前記冷気ダクト１９は、図５に示すようにダクト冷気入口部分２１に冷気供給を制御するダンパ２６が組み込んであり、そのダクト冷気入口部分２１の冷蔵室内面側の壁厚はダクト下方部分２２の冷蔵室内面側壁厚よりも厚く形成してある。この実施の形態ではダクト下方部分２２の壁厚は２０ｍｍ〜１０ｍｍ、ダクト冷気入口部分２１の最下端部分の壁厚は４０ｍｍ〜５０ｍｍとしてある。
【００３６】
そしてさらに、上記ダクト冷気入口部分２１の冷蔵室内面側の壁は上方に行くほどその壁厚が更に厚くなるようにその壁表面を前方に突出させて傾斜する形としてあり、冷却室９からの冷気通路部２０に近いほど壁厚が厚くなるようにしてある。
【００３７】
また、前記冷気ダクト１９のダクト冷気入口部分２１およびダクト下方部分２２は図６
に示すように別部品として、これらを組み合わせ結合することにより冷気ダクト１９を構成している。なお、上記ダクト冷気入口部分２１およびダクト下方部分２２はそれぞれ発泡スチロール等の断熱材で形成したダクト主体部１９ａと、前記ダクト主体部１９ａの冷蔵室内面側を覆うダクトカバー１９ｂとからなっている。
【００３８】
更に、前記冷気ダクト１９はその両側面に設けた冷気吹出し口２３のうち最上段の低温貯蔵室１６に対向するダクト冷気入口部分２１の両側面の冷気吹出し口は設けず閉塞面とし、図５に示す如く前面部分のみに設けてある（以下、この前面部に設けた冷気吹出し口を低温貯蔵室用冷気吹出し口２３ａと称す）。そしてこの低温貯蔵室用冷気吹出し口２３ａの下方部分には図５に示すように前方（冷蔵室内側）に向けて突出する遮風板２７が設けてある。
【００３９】
なお、図６において、２８はダンパ装着部のシール材、２９は冷気戻りダクト２５内に設けた脱臭フィルターである。
【００４０】
一方、前記冷蔵室３は扉８によって開閉されるが、この扉８の内面には図３に示すように複数のドアポケット３０が設けてある。このドアポケット３０のうち、最下段の機械室１２前方空間と対向する部分のドアポケットは設けず収納ボックス１８の前端部が扉８内面に近接位置する形としてある。
【００４１】
すなわち、機械室前方空間は圧縮機１３を設置した機械室１２が冷蔵室内側に突出していて狭いため、この部分にドアポケットを設けると収納ボックス１８の前後長さ寸法が小さなものとなってしまうので、当該部分にはドアポケットを設けずに収納ボックス１８の前後長さ寸法を大きく確保するようにしてある。
【００４２】
そして、上記収納ボックス１８の上面開口部上方に位置する収納棚１４ａは当該収納棚１４ａが収納ボックス１８の上面開口縁に近接してこれをほぼ塞ぐ形としてある。
【００４３】
また、この冷蔵庫の冷蔵室３は、図３に示すように、前記複数の収納棚１４を保持する支持部材３１のうちの上部の一つ３１ａに、前記冷蔵室最下部の機械室前方空間に設けたレール部１７と同様の補助レール部１７ａが設けてある。すなわち、この冷蔵庫は、その冷蔵室３内に収納ボックス１８を引き出し自在に支持するレール部が冷蔵室空間の最下部と上部の複数個所に設けた構成としてある。
【００４４】
そして、上記冷蔵室空間最下部に設けた収納ボックス１８は、冷蔵室空間最下部のレール部１７から取り外して上記補助レール部１７ａに摺動自在に支持させることができるようにしてある。これによって引出式収納空間１８ａの冷蔵室３内における位置を変更することができる。
【００４５】
この実施の形態では上記補助レール部１７ａは、立ち姿勢の使用者の略腰の高さ付近となる二段目の収納棚１４を支持する支持部材３１ａに設けてあり、引出式収納空間１８ａの位置を使用者の略腰の高さ付近に変更することができる。
【００４６】
そしてさらに上記補助レール部１７ａに支持させた収納ボックス１８の上面開口と対向する形となる収納棚１４ｂは、前記と同様、当該収納棚１４ｂが収納ボックス１８の上面開口縁に近接してこれをほぼ塞ぐ形となるようその支持部材３１ｂの高さ位置を設定してある。
【００４７】
なお、この実施の形態では、上記補助レール部１７ａに収納ボックス１８を支持させないときには当該補助レール部１７ａを設けた支持部材３１ａに収納棚１４を載置、若しく
は図９に示すように前記収納ボックス１８よりも深さの浅いオプション収納ボックス１８ｂを補助レール部１７ａに支持させる形としてある。
【００４８】
また、この補助レール部１７ａに収納ボックス１８を支持させる部分の冷蔵室背面壁部分には冷蔵庫を制御する制御装置３２が組み込んであるためその背面壁が冷蔵室３内に若干突出する形となるが、当該突出寸法は前記機械室１２による突出寸法よりも十分に小さいため収納ボックス１８を設置してもその前方が扉８内面のドアポケット３０ａに当接することはない。
【００４９】
また、前記冷蔵室３の天井面前方部分には図７に示すように冷蔵室３内を照射するＬＥＤ等からなる照明装置３３が設けてあり、冷蔵室３の前方部分より低温貯蔵室１６の透明な蓋板１５および各収納棚１４を透過して内部を照射するようになっている。
【００５０】
なお、上記照明装置３３は低温貯蔵室１６の蓋板１５を開けたときの当該蓋板１５の前端縁より前方に位置するように設けて、蓋板１５を開けたときの照射性を高めるように配慮してある。
【００５１】
以上のように構成した冷蔵庫について、以下その動作、作用を説明する。
【００５２】
冷蔵庫は冷凍室２背面の冷却室９で冷気が生成される。この冷気は冷気通路部２０を介してダクト冷気入口部分２１から冷気ダクト１９へと流れ、冷気ダクト１９の前面及び両側部の各冷気吹出し口２３、２３ａから図４の実線矢印で示すように低温貯蔵室１６を含む冷蔵室３内に供給される。
【００５３】
冷蔵室３内に供給された冷気は、低温貯蔵室１６及び冷蔵室３の各空間内の食品を冷却し、図４の破線矢印で示すように冷蔵室上部の冷気戻り口２４から冷却室９に戻り、冷却器１０によって冷却され再び冷蔵室３へと流れる循環を繰り返す。
【００５４】
ここで、上記冷気ダクト１９は、冷気通路部２０につながりこれと近接するダクト冷気入口部分２１が冷気通路部２０からの低温冷気が最初に触れて強く冷却され結露が発生しやすくなる。しかしながら、このダクト冷気入口部分２１の壁厚はダクト下方部分２２の壁厚よりも厚くしてあるから、冷却室９からの低温冷気による温度低下を抑制してその表面温度を比較的高く維持することができる。したがって、使用される地域が高温多湿地域であって、かつ、比較的多くの外気が冷蔵室３に入り込むような使われ方をしても、当該ダクト冷気入口部分２１での結露を抑制することができる。
【００５５】
特に、上記ダクト冷気入口部分２１はダンパ２６よりも上方に位置する部分が常に冷却室９と連通していて低温冷気で常時強く冷却され続け結露が発生しやすいが、この常に強く冷却されるダンパ２６よりも上方部分の壁厚はより厚くしてあるので、ダクト冷気入口部分２１全体の温度を比較的高く維持することができ、結露発生を確実に抑制することができる。
【００５６】
つまり、ダンパ２６よりも上方に位置するダクト冷気入口部分２１が常に低温冷気で強く冷却され続けていても、この常に強く冷却されるダンパ２６よりも上方部分の壁厚を厚くしてあるので、低温冷気による冷却を和らげるとともにダクト冷気入口部分２１全体への冷熱伝播を抑制してダクト冷気入口部分２１全体の温度を比較的高く維持することができるのである。したがって、高温多湿地域であって、かつ、比較的多くの外気が冷蔵室３に入り込むような使われ方をしても当該ダクト冷気入口部分２１での結露を確実に抑制することができる。
【００５７】
また、前記冷気ダクト１９はダクト冷気入口部分２１のみの壁厚を厚くしているので、冷蔵室３内への突出代はダクト冷気入口部分２１のみが大きくそれよりも下のダクト下方部分２２は従来と同様少ないものとすることができる。したがって、壁厚を厚くしたことによって生じる冷蔵室内容積の減少を最小限に抑えることができ、冷気ダクト１９表面での結露防止を図りつつ容積減少を最小限に抑えて冷蔵室３の容積を確保することができる。
【００５８】
特にこの実施の形態では、前記ダクト冷気入口部分２１の冷蔵室３内面側は、上方、すなわち冷却室９側に行くほどその壁厚が厚くなるように壁表面を傾斜させた構成としてあるから、ダクト冷気入口部分２１全体の壁厚を厚くするものに比べ冷蔵室容積を減じる割合を少なくすることができ、冷却室９内の冷気が常時存在する形となって特に超低温となりやすい部分の温度低下を効率よく和らげつつ、効果的に冷蔵室容積を確保することができる。
【００５９】
また、前記冷蔵室３のダクト冷気入口部分２１が位置する上方空間は低温貯蔵室１６として蓋板１５によって覆っているので、冷蔵室３の扉８を開いても蓋板１５を開かない限り外気がダクト冷気入口部分２１に触れることがない。したがって扉８を開閉して冷蔵室３内に外気が入り込んできても、この外気がダクト冷気入口部分２１に触れる機会を大幅に低減することができる。これにより、扉８の開閉が多い、或いは扉の開成時間が長い、等で冷蔵室３内に入り込む高温多湿の外気が多くなるようなことがあっても、この外気が直接ダクト冷気入口部分２１に触れるのを抑制して、結露発生を防止でき、効果的な結露予防が実現できる。
【００６０】
また、上記ダクト冷気入口部分２１を流れる冷気は、ダクト冷気入口部分２１を流れる際、当該ダクト冷気入口部分２１と熱交換することによって下方に行くほど温度が高くなっていくので、ダクト冷気入口部分２１下方のダクト下方部分２２の温度も比較的高い温度に維持することができ、冷気ダクト１９全域に渡り結露を抑制することができる。
【００６１】
特にこの実施の形態では、ダクト冷気入口部分２１とそのダクト下方部分２２とは別部品としてこれらを組み合わせ結合することにより冷気ダクト１９を形成しているので、この結合部分で冷熱伝播が遮断される形となる。したがって、低温冷気によって強く冷却されるダクト冷気入口部分２１からダクト下方部分２２への冷熱伝播を大きく低減でき、ダクト下方部分２２の冷熱伝播による温度低下を防止して冷気ダクト１９全体の結露防止をより確実なものとすることができる。
【００６２】
さらに、この実施の形態では前記冷気ダクト１９の低温貯蔵室用冷気吹出し口２３ａ下方部分には遮風板２７を設けているので、低温貯蔵室用冷気吹出し口２３ａから吹出す低温冷気が低温貯蔵室用冷気吹出し口２３ａ直下に流下してダクト下方部分２２を冷却してしまうのを防止できる。したがって、この低温冷気により冷気ダクト１９のダクト下方部分２２が強く冷却されて温度低下し当該部分に結露が発生するのを防止することもできる。
【００６３】
このようにこの実施の形態で示した冷蔵庫は、ダクト冷気入口部分２１はもちろん、冷気ダクト１９全域に渡って結露発生を防止することができ、より品位の高い冷蔵庫とすることができる。
【００６４】
また、前記冷気ダクト１９は既述したようにダクト冷気入口部分２１とそのダクト下方部分２２とを別部品とした構成としてあるから、ダクト冷気入口部分２１を共用化し長さの異なるダクト下方部分２２を組み合わせるだけで異なる容量の冷蔵庫に対応でき、安価に提供することが可能となる。
【００６５】
以上のようにこの冷蔵庫は冷気ダクト上部の冷気入口部分に結露が発生するのを抑制でき、品位の高い冷蔵庫とすることができるが、更に次のような効果も併せ持っているので、説明しておく。
【００６６】
すなわち、この冷蔵庫は、冷蔵室内空間を複数の収納棚１４によって上下複数の空間に仕切っているので、上記収納棚１４の高さ位置を変更することによって各空間の高さ寸法を変えて高さの異なる食品を収納することができる。
【００６７】
そしてさらにこの冷蔵庫では、前記収納棚１４で仕切った複数の空間のうちの一つ、この例では最下部の空間に組み込んでいる収納ボックス１８を、冷蔵室内空間の上部に設けた支持部材３１ａの補助レール部１７ａに移動させて組み込むことができる。すなわち、引出式収納空間１８ａの位置を変更することができ、引出式収納空間１８ａを多用する使用者の使い勝手を大きく向上させることができる。
【００６８】
例えばこの実施の形態では、前記冷蔵室３には冷蔵室内最下部にレール部１７を設けるとともに、冷蔵室内上部の支持部材３１ａに補助レール部１７ａを設けてあるから、収納ボックス１８の組み込み位置を冷蔵室内空間の上下で変更可能となる。
【００６９】
したがって、冷蔵室最下部に設けた引出式収納空間１８ａをこの例では使用者の腰位置付近に変更して腰を曲げることなく引出式収納空間１８ａ内の食品を取り出すことができるようにすることができる。よって、収納ボックス１８によって形成した引出式収納空間１８ａに収納した食品が例えば缶ビール等の重量のある食品であってもこれの出し入れが容易になって、引出式収納空間１８ａを多用する使用者の使い勝手が大きく向上する。
【００７０】
このように、この冷蔵庫では、引出式収納空間１８ａの位置を各収納棚１４によって仕切る各空間の高さ寸法変更と同様に変更して使用者の好みに応じた使い方が可能となり、使い勝手が大きく向上する。
【００７１】
また、この実施の形態では、上記収納ボックス１８を設置した冷蔵室最下部の空間部分と対向する扉８の内面はドアポケット３０を設けていないので、当該部分に設置した収納ボックス１８の前後長さを大きく確保することができ、引出式収納空間１８ａの内容積を大きなものとすることができる。
【００７２】
また、前記収納ボックス１８の設置位置を変えた側の扉内面部分、この例では補助レール１７ａ側の空間と対向する扉内面部分にドアポケット３０ａがあっても、このドアポケット３０ａが存在する冷蔵室空間背面は平面もしくは前記機械室１２ほど大きく突出していないので、ドアポケット３０ａの突出分は前記機械室１２による突出代と置き換わる形となり、収納ボックス１８を支障なく、すなわち大きさの異なる別の収納ボックスに取り換えたりすることなく位置変更でき、収納ボックス１８の収納容積を確保しつつ収納ボックス１８を共用化することができる。
【００７３】
更に、前記冷蔵室３は収納ボックス１８を設置する補助レール部１７ａの上方空間には冷気吹出し口２３が設けてあるから、この補助レール部１７ａ上方空間に収納ボックス１８を設置すれば収納ボックス１８内の引出式収納空間１８ａは冷気吹出し口２３から吹出す冷気が充満する形となって冷蔵室内空間よりも若干低い温度となる。
【００７４】
一方、冷蔵室最下部に設置した収納ボックス１８内の引出式収納空間１８ａはその背面が機械室１２となっていて冷気吹出し口が無いため、冷蔵室内空間と略同一温度となり、前記補助レール部１７ａ上方空間に収納ボックス１８を設置した場合よりも若干高め温度
となる。
【００７５】
したがって収納ボックス１８の引出式収納空間１８ａを冷却温度の異なる収納空間として使い分けすることができ、引出式収納空間１８ａの使用用途が広がり、多様な食品の冷蔵保存が可能となって使い勝手が更に向上する。
【００７６】
そして、この実施の形態では、前記収納ボックスの上部に位置する収納棚は前記収納ボックスの上部開口に近接してこれを覆う位置に設けた構成としてあるから、収納ボックス内の収納空間をより効果的に低温室あるいは比較的温度の高い収納空間とすることができ、多様な食品をより最適な状態で冷却保存することができる。
【００７７】
以上、本発明に係る冷蔵庫について、上記実施の形態を用いて説明したが、本発明は、これに限定されるものではない。つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【産業上の利用可能性】
【００７８】
以上のように本発明の冷蔵庫は、高温多湿地域で使用され外気が比較的多く入り込むような場合であっても冷気ダクト上部の冷気入口部分に結露が発生するのを抑制でき、品位の高い冷蔵庫とすることができる。よって、一般用はもちろん業務用の冷蔵庫にも幅広く適用できる。
【符号の説明】
【００７９】
１  冷蔵庫本体
２  冷凍室
３  冷蔵室
４  外箱
５  内箱
６  発泡ウレタン
７、８  扉
９  冷却室
１０  冷却器
１１  送風ファン
１２  機械室
１３  圧縮機
１４、１４ａ、１４ｂ  収納棚
１５  蓋板
１６  低温貯蔵室
１７  レール部
１７ａ  補助レール部
１８  収納ボックス
１８ｂ  オプション収納ボックス
１９  冷気ダクト
１９ａ  ダクト主体部
１９ｂ  ダクトカバー
２０  冷気通路部
２１  ダクト冷気入口部分
２２  ダクト下方部分
２３  冷気吹出し口
２３ａ  低温貯蔵室用冷気吹出し口
２４  冷気戻り口
２５  冷気戻りダクト
２６  ダンパ
２７  遮風板
２８  シール材
２９  脱臭フィルター
３０、３０ａ  ドアポケット
３１、３１ａ、３１ｂ  支持部材
３２  制御装置
３３  照明装置
【図１】
2017215072.tif 000003
【図２】
2017215072.tif 000004
【図３】
2017215072.tif 000005
【図４】
2017215072.tif 000006
【図５】
2017215072.tif 000007
【図６】
2017215072.tif 000008
【図７】
2017215072.tif 000009
【図８】
2017215072.tif 000010
【図９】
2017215072.tif 000011
【図１０】
2017215072.tif 000012
【図１１】
2017215072.tif 000013
【図１２】
2017215072.tif 000014
【図１３】
2017215072.tif 000015